(57)【要約】      （修正有）【課題】限られた空間に、３種類の機能で吐水可能であり、体積が小さく、機能が多い、水流を多種類の形態で切り替え可能な吐水装置を提供する。【解決手段】吐水装置は、給水部材１、分流部材３、及び、給水部材１に回転可能に接続されるガイド部材２を含み、分流部材３は給水部材１内に設けられ、ガイド部材２の軸心を貫通するように設置され、給水部材１は、給水通路を含み、分流部材３は、第一吐水通路を含み、ガイド部材２は、第二吐水通路及び第三吐水通路を含み、ガイド部材２が分流部材３に対して作動している過程で、給水通路は第一吐水通路、第二吐水通路又は第三吐水通路に連通する。【選択図】図７
0003231624.tif 000002
【実用新案登録請求の範囲】
【請求項１】
給水部材、分流部材、及び、前記給水部材に回転可能に接続されるガイド部材を含み、
前記分流部材は、前記給水部材に設置され、前記ガイド部材の軸心を貫通するように設置され、
前記給水部材は、給水通路を含み、
前記分流部材は、第一吐水通路を含み、
前記ガイド部材は、第二吐水通路及び第三吐水通路を含み、
前記分流部材に対する前記ガイド部材の作動過程で、前記給水通路は前記第一吐水通路、前記第二吐水通路又は前記第三吐水通路に連通する、ことを特徴とする、吐水装置。
【請求項２】
前記ガイド部材と前記分流部材は、前記給水部材に対して作動可能であり、
前記ガイド部材と前記分流部材が同時に前記給水部材に対して作動している過程で、前記給水通路は前記第一吐水通路、前記第二吐水通路又は前記第三吐水通路に連通する、ことを特徴とする、請求項１に記載の吐水装置。
【請求項３】
前記ガイド部材が前記給水部材に対して作動している過程で、前記給水通路は前記第一吐水通路、前記第二吐水通路に連通し、又は、同時に前記第一吐水通路と前記第三吐水通路に連通する、ことを特徴とする、請求項１又は２に記載の吐水装置。
【請求項４】
前記分流部材は、吐水穴を含み、前記ガイド部材が前記分流部材に対する回転する過程で、前記給水通路は、前記吐水穴により、前記第二吐水通路又は前記第三吐水通路との連通関係を切り替える、ことを特徴とする、請求項１に記載の吐水装置。
【請求項５】
前記ガイド部材内には、装着穴が設けられ、
前記装着穴に、段差が設置され、
前記分流部材は、前記装着穴を貫通するように設置され、前記段差に回転可能に当接する、ことを特徴とする、請求項１に記載の吐水装置。
【請求項６】
前記段差は、第一段差面及び第二段差面を含み、
前記第一段差面と前記第二段差面との間は、傾斜面により遷移して接続される、ことを特徴とする、請求項５に記載の吐水装置。
【請求項７】
前記分流部材における前記ガイド部材内に位置する一端に突起が設けられ、前記突起は前記段差に沿って上下に移動可能である、ことを特徴とする、請求項５に記載の吐水装置。
【請求項８】
前記突起は、上端が前記給水部材に挿入される、ことを特徴とする、請求項７に記載の吐水装置。
【請求項９】
前記分流部材における前記給水部材内に位置する一端には、前記第二吐水通路を閉鎖するための邪魔台が設置される、ことを特徴とする、請求項１に記載の吐水装置。
【請求項１０】
前記分流部材は、分流部及びリセット部を含み、
前記リセット部は、一端が前記分流部内に設けられ、他端が前記給水部材の側面に当接する、ことを特徴とする、請求項１に記載の吐水装置。
【請求項１１】
前記分流部内に機能手段が設けられ、
前記リセット部は、一端が前記機能手段に当接し、他端が前記給水部材の側面に当接する、ことを特徴とする、請求項１０に記載の吐水装置。
【請求項１２】
前記給水部材は、給水手段及び吐水手段を含み、
前記分流部材は、一端が前記給水手段内に作動可能に設置され、他端が前記吐水手段を通過するようにし作動可能に設置され、
前記給水手段と前記吐水手段との間には、前記給水通路と前記第二吐水通路とを連通するための遷移流路が形成される、ことを特徴とする、請求項１に記載の吐水装置。
【請求項１３】
前記ガイド部材と前記吐水手段が係合して接続される、ことを特徴とする、請求項１２に記載の吐水装置。
【請求項１４】
ハウジングをさらに含み、
前記ハウジングは、前記吐水手段とガイド部材との外部に設けられ、
前記吐水手段と前記ハウジングとの間に吸気隙間が存在し、
前記吸気隙間が前記第二吐水通路に連通する、ことを特徴とする、請求項１２に記載の吐水装置。
【考案の詳細な説明】
【技術分野】
【０００１】
本考案は、バスルーム製品の技術分野に関し、特に吐水装置に関する。
【背景技術】
【０００２】
現在、蛇口による吐水形態を変更するために、蛇口による吐水量や吐水状態を制御したり調節したりするための吐水装置を蛇口の下部に追加して設置することが一般的である。
【０００３】
本願の出願者は、吐水装置の外径と蛇口の外径を一致させるように、以下の特許を出願した。
吐水制御装置（中国特許番号ＣＮ１０４８７４５０６Ｂ）は、水分配部と水案内部を含み、水分配部は、貫通するガイド穴を含み、水案内部は、第一給水口、第二給水口、第一吐水通路、及び、第二吐水通路を含み、第一給水口と第二給水口の上部空間は連通し、第一給水口は第一吐水通路と第二吐水通路に連通し、第二給水口は第一吐水通路に連通し、第一吐水通路の吐水口が第二吐水通路の吐水口の周囲に設置され、水分配部は水案内部に回転可能に接続され、ガイド穴は、水分配部と水案内部との相対回転により、それぞれ、第一給水口又は第二給水口に連通し、吐水端における第一給水口と第二給水口との間に上部空間が形成される、吐水制御装置を開示している。
【０００４】
上記の特許では、水分配部と水案内部が平面を回転することにより、ガイド穴を第一給水口と第二給水口との間で切り替えられ、水案内部の第一吐水通路と第二吐水通路により、それぞれ、機能水を形成することから、上記の特許に係る吐水制御装置は２種類の機能水の間で切り替えることができる。
【先行技術文献】
【特許文献】
【０００５】
【特許文献１】中国特許番号ＣＮ１０４８７４５０６Ｂ
【考案の概要】
【考案が解決しようとする課題】
【０００６】
上記の特許により形成される吐水制御装置は、体積は小さいものの、２種類の機能水の吐水しか実現できず、数多くの利用者のニーズを満たすことができない。
【０００７】
現在、例えば、シャワーヘッドのような各種の機能を実現できる吐水装置が市販されている。従来のシャワーヘッドは、一般的に、３種類以上の異なる吐水形態を具備しているが、いずれも、平面で部品を回転させて複数の水路を切り替えるものである。しかしながら、実際に研究して開発する際に、シャワーヘッドの体積を小さくさせ蛇口に適用しようとすると、その外径は最小でも４０ｍｍにしかならないことから、蛇口の寸法に対応できない。従って、限られた空間内で複数の機能水を切り替えることは非常に難しい。
【０００８】
本考案が解決しようとする技術的課題は、従来の吐水装置に吐水の機能が少ないという問題を解決できる吐水装置を提供することにある。
【課題を解決するための手段】
【０００９】
上記の技術的課題を解決するために、本考案が採用する技術的解決策は、以下の通りである。
吐水装置は、給水部材、分流部材、及び、前記給水部材に回転可能に接続されるガイド部材を含み、前記分流部材は、前記給水部材に設置され、前記ガイド部材の軸心を貫通するように設置され、前記給水部材は、給水通路を含み、前記分流部材は、第一吐水通路を含み、前記ガイド部材は、第二吐水通路及び第三吐水通路を含み、前記分流部材に対する前記ガイド部材の作動過程で、前記給水通路は前記第一吐水通路、前記第二吐水通路又は前記第三吐水通路に連通する。
【考案の効果】
【００１０】
本考案による有益な効果は、以下の通りである。
本考案に係る吐水装置は、ガイド部材が作動している過程で異なる吐水形態を切り替えるための分流部材が設置されると共に、分流部材を設置することにより、限られたスペースで第一吐水通路が増加することから、従来技術と比較すると、１種類の機能水が増加され得るが吐水装置全体の体積は増大しない。給水通路が第一吐水通路に連通すると、第一機能水が形成され、給水通路が第二吐水通路に連通すると、第二機能水が形成され、給水通路が第三吐水通路に連通すると、第三機能水が形成される。３種類の機能水はさまざまなアプリケーションシナリオに適しているため、蛇口又は他のバスルーム製品を、多機能吐水装置として用いると、ユーザーの日常のニーズを満たすことができる。本考案は、従来技術と比較すると、その構成が簡単であり、占有スペースが小さいため、占有スペースを増やすことなく、１種類の機能水の吐水を追加し、吐水を多種類の形態の間で切り替えて、より実用的価値があるようになる。
【図面の簡単な説明】
【００１１】
【図１】本考案の第一実施例に係る吐水装置が噴霧水を流し出すことができる状態の断面図である。
【図２】本考案の第一実施例に係る吐水装置が噴霧水を流し出すことができる状態の三次元断面図である。
【図３】本考案の第一実施例に係る吐水装置がシャワー水を流し出すことができる状態の断面図である。
【図４】本考案の第一実施例に係る吐水装置がシャワー水を流し出すことができる状態の三次元断面図である。
【図５】本考案の第一実施例に係る吐水装置が気泡水を流し出すことができる状態の断面図である。
【図６】本考案の第一実施例に係る吐水装置が気泡水を流し出すことができる状態の三次元断面図である。
【図７】本考案の第一実施例に係る吐水装置の分解図である。
【図８】本考案の第一実施例に係るガイド部材の構成の模式図である。
【図９】本考案の第三実施例に係る吐水装置が噴霧水を流し出すことができる状態の断面図である。
【図１０】本考案の第三実施例に係る吐水装置がシャワー水を流し出すことができる状態の断面図である。
【図１１】本考案の第三実施例に係る吐水装置が気泡水を流し出すことができる状態の断面図である。
【図１２】本考案の第三実施例に係るガイド部材の構成の模式図である。
【図１３】本考案の第四実施例に係る吐水装置が噴霧水を流し出すことができる状態の断面図である。
【図１４】本考案の第四実施例に係る吐水装置がシャワー水を流し出すことができる状態の断面図である。
【図１５】本考案の第五実施例に係る吐水装置が気泡水を流し出すことができる状態の断面図である。
【図１６】本考案の第五実施例に係る吐水装置がブレード水を流し出すことができる状態の断面図である。
【図１７】本考案の第五実施例に係る吐水装置がシャワー水を流し出すことができる状態の断面図である。
【図１８】本考案の第五実施例に係る吐水装置が気泡水を流し出すことができる状態の断面図である。
【図１９】本考案の第五実施例に係る分流部の構成の模式図である。
【図２０】本考案の第六実施例に係る吐水装置がブレード水を流し出すことができる状態の断面図である。
【図２１】本考案の第六実施例に係る吐水装置がシャワー水を流し出すことができる状態の断面図である。
【図２２】本考案の第六実施例に係る吐水装置が気泡水を流し出すことができる状態の断面図である。
【図２３】図２２におけるＡ部分の拡大図である。
【図２４】本考案の第六実施例に係るガイド部材の構成の模式図である。
【図２５】本考案の第七実施例に係る吐水装置がブレード水を流し出すことができる状態の断面図である。
【図２６】本考案の第七実施例に係る吐水装置がシャワー水を流し出すことができる状態の断面図である。
【図２７】本考案の第七実施例に係る吐水装置が気泡水を流し出すことができる状態の断面図である。
【図２８】本考案の第七実施例に係るガイド部材と分流部材の分解図である。
【図２９】本考案の第七実施例に係る上部給水リングの底面図である。
【考案を実施するための形態】
【００１２】
本考案に係る技術的内容、実現すべき目的及び効果を詳しく説明するため、以下に、実施形態と共に図面を参照しながら説明する。
【００１３】
図１乃至図２９を参照すると、吐水装置は、給水部材、前記給水部材に接続されるガイド部材、及び、前記給水部材内に設けられ、前記ガイド部材を貫通するように設置される分流部材を含み、前記給水部材は、給水通路を含み、前記分流部材は、第一吐水通路を含み、前記ガイド部材は、第二吐水通路及び第三吐水通路を含み、前記ガイド部材が前記分流部材に対する作動している過程で、前記給水通路は前記第一吐水通路、前記第二吐水通路又は前記第三吐水通路に連通する。
【００１４】
本考案に係る作動の原理は、以下の通りである。
分流部材は、ガイド部材の軸心を貫通するように設置され、占有スペースを増やすことなく、１種類の機能水の吐水を追加し、分流部材が給水部材において作動空間の底部に位置する場合、給水通路が第一吐水通路に連通し、第一機能水を形成し、分流部材が給水部材において作動空間の先端に位置する場合、給水通路が第二吐水通路又は第三吐水通路に連通し、第二機能水又は第三機能水を形成する。
【００１５】
上記の説明によると、本考案の有益な効果は、以下の通りである。
本考案に係る吐水装置は、ガイド部材が作動している過程で異なる吐水形態を切り替えるための分流部材が設置されると共に、分流部材を設置することにより、限られたスペースで第一吐水通路が増加することから、従来技術と比較すると、１種類の機能水が増加されるが吐水装置全体の体積は増大しない。給水通路が第一吐水通路に連通すると、第一機能水が形成され、給水通路が第二吐水通路に連通すると、第二機能水が形成され、給水通路が第三吐水通路に連通すると、第三機能水が形成される。３種類の機能水はさまざまなアプリケーションシナリオに適しているため、蛇口又は他のバスルーム製品を、多機能吐水装置として用いると、ユーザーの日常のニーズを満たすことができる。本考案は、従来技術と比較すると、その構成が簡単であり、占有スペースが小さいため、占有スペースを増やすことなく、１種類の機能水の吐水を追加し、吐水を多数の形態の間で切り替えて、より実用的な価値があるようになる。
【００１６】
さらに、前記ガイド部材及び前記分流部材は前記給水部材に対して作動可能である。前記ガイド部材と前記分流部材が前記給水部材に対して作動している過程で、前記給水通路は前記第一吐水通路、前記第二吐水通路又は前記第三吐水通路に連通する。
【００１７】
上記の説明によると、ガイド部材と分流部材が同時に給水部材に対して作動している過程で、給水通路が第一吐水通路、第二吐水通路又は第三吐水通路に連通することにより、もう一つの切り替え形態が実現され、同様に、３種類の機能水の切り替えが実現される。
【００１８】
さらに、前記ガイド部材が前記給水部材に対して作動している過程で、前記給水通路は前記第一吐水通路、前記第二吐水に連通し、又は、同時に前記第一吐水通路と前記第三吐水通路に連通する。
【００１９】
上記の説明によると、ガイド部材が給水部材に対して作動している過程で、給水通路と第一吐水通路、第二吐水通路及び第三吐水通路との間に、第三の連通関係が存在しており、３種類の機能水間に吐水状態を切り替え、蛇口による吐水形態を多くすることができる。
【００２０】
さらに、前記分流部材は、吐水穴を含み、前記ガイド部材が前記分流部材に回転する過程で、前記給水通路は前記吐水穴により、前記第二吐水通路又は前記第三吐水通路との連通関係を切り替える。
【００２１】
上記の説明によると、ガイド部材が分流部材に対して回転する過程で、給水通路内の水流を二回目に分配するための吐水穴が設置される。水流は、給水部材内に分流部材により最初に分配され、第一吐水通路が閉じると、給水部材内において吐水穴を介して第二吐水通路又は第三吐水通路に連通することから、第二機能水の吐水と第３種類の機能水の吐水が実現され得る。
【００２２】
さらに、前記ガイド部材内には、装着穴が設置され、前記装着穴に段差が設置され、前記分流部材は、前記装着穴を貫通するように設置され、前記段差に回転可能に当接する。さらに、前記段差は、第一段差面及び第二段差面を含み、前記第一段差面と前記第二段差面との間が傾斜面により遷移接続される。さらに、前記分流部材における前記ガイド部材内に位置する一端に突起が設けられ、前記突起は前記ガイド部材の回転の際に前記段差に沿って上下に移動する。
【００２３】
上記の説明によると、ガイド部材内には装着穴が設けられ、分流部材が当該装着穴を貫通するように設置され、分流部材を支持するようにする。装着穴に第一段差面及び第二段差面を含む段差が設置され、突起が第一段差面と第二段差面途に沿って移動できるようにする。分流部材は、給水部材内に位置を転換することにより、異なる機能水の間の切り替えを実現できる。ここで、第一段差面と第二段差面は傾斜面により遷移接続され、突起が第一段差面及び第二段差面を円滑に移動することを実現することができる。しかも、ガイド部材による直接作用により、分流部材が上下に位置を変えることから、分流部材とガイド部材との間の伝達を確実にし、安定性を向上させ、分流部材への位置決めをより正確にすると共に、部品の数及びその占有スペースを削減することができる。
【００２４】
さらに、前記突起は、上端が前記給水部材内に挿入される。
【００２５】
上記の説明によると、突起が給水部材内に挿入されることから、分流部材と給水部材とを安定的な相対位置関係で保持し、ガイド部材を分流部材や給水部材に対して回転させ、その伝達をより安定にし、異なる吐水通路を安定して切り替えることができる。
【００２６】
さらに、前記分流部材における前記給水部材内に位置する一端に、前記第二吐水通路を閉鎖するための邪魔台が設置される。
【００２７】
上記の説明によると、邪魔台を設置することにより、分流部材が給水部材の作動空間の底部に位置する場合、第一機能水の吐水条件を満たすように、第二吐水通路を閉鎖することができる。
【００２８】
さらに、前記分流部材は、分流部とリセット部を含み、前記リセット部は、一端が前記分流部に設けられ、他端が前記給水部材の側面に当接する。
【００２９】
上記の説明によると、分流部及びリセット部を設置することにより、分流部の給水部材内における空間位置の変化を促進して、多種類の機能水の回転切り替えを実現する。
【００３０】
さらに、前記分流部内に機能手段が設けられ、前記リセット部は、一端が前記機能手段に当接し、他端が前記給水部材の側面に当接する。上記の説明によると、分流部内に機能手段が設けられ、機能手段が実際の使用に応じて交換され得ることから、水流が分流部内から流出すると、機能手段の作用により、例えば、噴霧水のような、特殊な水流状態を形成する。さらに、前記給水部材は、給水手段及び吐水手段を含み、前記分流部材は、一端が前記給水手段内に作動可能に設置され、他端が前記吐水手段を貫通するように作動可能に設置され、前記給水手段と前記吐水手段との間に前記給水通路と前記第二吐水通路を連通するための遷移流路が形成される。
【００３１】
上記の説明によると、遷移流路を形成することにより、給水通路と第二吐水通路との連通が形成される。
【００３２】
さらに、前記ガイド部材は、前記吐水手段と係合して接続される。
【００３３】
上記の説明によると、ガイド部材と吐水手段が係合して接続されることから、ガイド部材と吐水手段との間に安定的に相対移動する位置関係が形成される。
【００３４】
さらに、ハウジングをさらに含み、前記ハウジングは前記吐水手段とガイド部材との外部に設けられ、前記吐水手段と前記ハウジングとの間に吸気隙間があり、前記吸気隙間は前記第二吐水通路に連通する。
【００３５】
上記の説明によると、ハウジングと吐水手段との間に吸気隙間が設置され、吸気隙間は第二吐水通路に連通している。ベルヌーイ定理及びベンチュリ効果により、気体が吸気隙間から水流に吸入され、第二吐水通路内に水と混合してから気泡水又はシャワー水を形成し、水流が皮膚の表面に噴射して生じた衝突力を軽減し、水流の衝突によりユーザーにもたらされる違和感を軽減することができる。
【００３６】
本考案に係る吐水装置は、台所向けの蛇口、浴室向けの蛇口、抽出シャワー又はビデ等に適用できる。
【００３７】
本考案の第一実施例は、外ネジ付きの台所向けの蛇口又は外ネジ付きの浴室向けの蛇口に適している。
【００３８】
図１乃至図７を参照すると、吐水装置は、給水部材１、給水部材１に接続されるガイド部材２、及び、給水部材１内に設けられ、ガイド部材２を貫通するように設置される分流部材３を含み、給水部材１は、給水通路１０を含み、分流部材３は、第一吐水通路２０を含み、ガイド部材２は、第二吐水通路３０１及び第三吐水通路３０２を含み、ガイド部材２が分流部材３に対して作動している過程で、給水通路１０は第一吐水通路２０、第二吐水通路３０１又は第三吐水通路３０２に連通する。
【００３９】
図８を参照すると、ガイド部材２に装着穴２１が設けられ、装着穴２１に段差２１１が設置され、分流部材３が装着穴２１を貫通するように設置され、段差２１１に回転可能に当接する。
【００４０】
好ましくは、装着穴２１に二つの段差２１１が対称に設置され、好ましくは、段差２１１は、第一段差面２１１１及び第二段差面２１１２を含み、第一段差面２１１１と第二段差面２１１２は、周設されるように、下から上に順に設置される。第一段差面２１１１と第二段差面２１１２との間、第二段差面２１１２と他の第一段差面２１１１との間、他の一つの第二段差面２１１２と第一段差面２１１１との間は、共に、遷移傾斜面により接続される。図１を参照すると、分流部材３におけるガイド部材２内に位置する一端に突起３１が設置され、突起３１は段差２１１に沿って上下に移動可能であり、突起３１は、その上端が給水部材１に挿入される。
【００４１】
好ましくは、突起３１は二つ設置され、二つの突起３１は対称に分流部材３の外壁に設置され、図１を参照すると、分流部材３における給水部材１内に位置する一端に第二吐水通路３０１と第三吐水通路３０２を閉鎖するための邪魔台３２が設置される。
【００４２】
図１を参照すると、分流部材３は、分流部３３及びリセット部３４を含み、リセット部３４は、一端が分流部３３内に設けられ、他端が給水部材１の側面に当接する。好ましくは、突起３１、邪魔台３２及び分流部３３は一体的に形成され、好ましくは、リセット部３４はばねである。
【００４３】
図２３を参照すると、邪魔台３２の先端には、第一環形状ボス３７がさらに設けられ、邪魔台３２は第一環形状ボス３７の外側に設けられる。邪魔台３２と給水部材１との間の距離は、第一環形状ボス３７と給水部材１との間の距離よりも大きい。給水部材１に面する第一環形状ボス３７の面積は、給水部材１に面する邪魔台３２の面積よりも小さく、給水部材に面する邪魔台３２の面積は、ガイド部材２に面する邪魔台３２の平面の面積よりも小さい。そして、給水部材１と邪魔台３２との間の水圧とリセット部３４による押圧との両者の方が、邪魔台３２の下側の水圧よりも大きくなり、分流部３３を下向きに移動するように押圧する。図１を参照すると、分流部３３内に機能手段３５が設けられ、リセット部３４は、その一端が機能手段３５に当接し、他端が給水部材１の側面に当接する。
【００４４】
具体的には、図３を参照すると、分流部３３に、第一環形状段差３３１と第二環形状段差３３２が設けられ、第一環形状段差３３１及び第二環形状段差３３２は上から下に順に設置され、第一環形状段差３３１の直径は第二環形状段差３３２よりも大きく、機能手段３５の下端は第一環形状段差３３１に当接し、分流部３３の吐水口は円形であり、柱状の噴霧水を噴射することができる。
【００４５】
図１及び図２を参照すると、給水部材１は、給水手段１１及び吐水手段１２を含み、分流部材３は、一端が給水手段１１に作動可能に設けられ、他端が吐水手段１２を通過するように作動可能に設置され、給水手段１１と吐水手段１２との間には、給水通路１０と第二吐水通路３０１を連通するため、又は、給水通路１０と第三吐水通路３０２とを連通するための遷移流路４０が形成され、ガイド部材２が吐水手段１２に係合して接続される。
【００４６】
具体的には、吐水手段１２は、吐水体１２２を含み、吐水体１２２の先端に蛇口と接続される雌ネジ１２１が設置され、ギア手段を設置するための凹状の受容室１２２１が吐水体１２２の外壁にさらに設けられ、給水通路１０と第二吐水通路３０１とを連通し又は給水通路１０と第三吐水通路３０２とを連通するための複数の吐水穴１２２２がさらに設けられ、吐水体１２２と給水手段１１との間の位置は受容室１２２１により制限され、受容室１２２１におけるギア手段は、ばねとローラーを含み、ローラーは、ばねにより押圧されると、吐水体１２２における先端の内壁に位置する異なる位置制限溝に摺動可能に当接し、位置制限溝における各位置は、それぞれ、１種類の吐水状態に対応しており、給水部材１に対するガイド部材２の回転する過程でギアを変更するためのものである。
【００４７】
図１を参照すると、ハウジング４をさらに含み、ハウジング４は吐水手段１２とガイド部材２との外部に設けられ、吐水手段１２とハウジング４との間に吸気隙間５０があり、吐水手段１２における外壁の上下両端に、いずれも、均一に分布するボスが設置され、これらのボスは、吐水手段１２とハウジング４との間に、吐水手段１２とガイド部材２との間に隙間を置いて、吸気隙間５０において円滑に連通を確保できるようにする。吸気隙間５０は、第二吐水通路３０１に連通し、ガイド部材２と吐水手段１２との間に吸気圧力を大きくするための金属製ガスケット７が設けられる。
【００４８】
具体的には、ガイド部材２は、吐水手段１２に回転可能に係合して接続され、ハウジング４に係合具を介して接続される。つまり、ガイド部材２における外側の表面のオスパーツ２０１がハウジング４における内壁のメスパーツ４０１に嵌合される。ハウジング４における内壁には、上部位置制限台４１と下部位置制限台４２が設置され、メスパーツ４０１は上部位置制限台４１の側壁に設けられる。ガイド部材２における外側のオスパーツ２０１には下部位置制限台４２とマッチングする位置制限溝２０１１が設けられる。オスパーツ２０１は、メスパーツ４０１に挿入され、しかも、継続して下向きに移動し、下部位置制限台４２が位置制限溝２０１１に嵌入されると、オスパーツ２０１は、上端の位置がメスパーツ４０１により制限され、ガイド部材２はハウジング４の回転に伴って回転することができる。図１及び図８を参照すると、ガイド部材２内に第一給水室２２と第二給水室２３が設置され、第一給水室２２は第二給水室２３と隣接して設置される。
【００４９】
図２を参照すると、濾過手段５と加圧手段６とをさらに含み、濾過手段５はガイド部材２の下側に設けられ、第二吐水通路３０１と連通する。濾過手段５は、下部ろ過網５１、第一吐水リング５２及び第二吐水リング５３を含み、第二吐水リング５３は第一吐水リング５２の外側に周設され、下部ろ過網５１は第一吐水リング５２内に嵌入され、第一吐水リング５２はガイド部材２の吐水口に挿入され、第一吐水リング５２はガイド部材２と係合して接続される。
【００５０】
具体的には、第二吐水通路３０１は第一吐水リング５２に連通し、第三吐水通路３０２は第二吐水リング５３に連通し、吐水手段１２は、吐水体１２２を含み、吐水体１２２の底部に、さらに、給水通路１０と第二吐水通路３０１とを連通し又は給水通路１０と第三吐水通路３０２とを連通するための複数の吐水穴１２２２がさらに設けられ、加圧手段６は、第一座金６１と上部ろ過網６２を含み、第一座金６１と上部ろ過網６２は順に給水手段１１の先端に設けられる。
【００５１】
本実施例の具体的な実施形態は、以下の通りである。
図１及び図２を参照すると、突起３１が第一段差面２１１１に当接すると、邪魔台３２の底部が給水手段１１に当接し、遷移流路４０が閉じられ、給水通路１０と第一吐水通路２０が連通することになる。そして、機能手段３５の実際の機能に従って、噴霧水又は他の形態の柱状水を形成できる。本実施例では、機能手段３５により噴霧水を形成することができる。
【００５２】
図３及び図４を参照すると、ハウジング４を回転させ、ガイド部材２が回転するように駆動し、突起３１を第二段差面２１１２に当接させる。このとき、分流部３３の先端は給水手段１１の内側の先端に当接し、第一吐水通路２０が閉じられ、給水通路１０は同時に遷移流路４０と第三吐水通路３０２に連通してシャワー水を形成する。
【００５３】
図５及び図６を参照すると、ハウジング４を回転させ、ガイド部材２が回転するように駆動し、突起３１は常に第二段差面２１１２に当接する。このとき、分流部３３の先端は給水手段１１の内側の先端に当接し、第一吐水通路２０が閉じられ、給水通路１０は遷移流路４０と第二吐水通路３０１に順に連通し、水流が遷移流路４０から第二吐水通路３０１に入る過程で、吸気隙間５０から気体を吸気して気泡水を形成する。
【００５４】
本考案の第二実施例は、以下のとおりである。第一実施例との相違点は、給水手段１１を限定する具体的な構成にある。
図２を参照すると、給水手段１１は、上部給水リング１１１、下部給水リング１１２、第二座金１１３、第三座金１１４、ロック手段１１５、及び、第四座金１１６を含み、第二座金１１３は下部給水リング１１２の先端に嵌合され、上部給水リング１１１は下部給水リング１１２の先端に嵌合され、ロック手段１１５は水平に下部給水リング１１２の吐水口に挿入され、第三座金１１４は下部給水リング１１２に周設され、ロック手段１１５の下方に位置し、吐水手段１２は下部給水リング１１２の外側に周設され、第四座金１１６は下部給水リング１１２の外側に周設され、吐水手段１２の内側に位置し、二つの突起３１の上端は下部給水リング１１２の下端内に挟み込まれ、分流部３３を固定する。
【００５５】
本実施例では、第三座金１１４を設置することは、水流が分流部３３と下部給水リング１１２との間の隙間を流れることにより、シャワー水や気泡水が形成されるときに発生する水圧が低減され、シャワー水や気泡水の吐水状態に悪影響を与えてしまうことを回避するためである。ロック手段１１５を設置することは、第三座金１１４の浮き上がりにより下部給水リング１１２の吐水口が塞がれてしまうことを回避し、水流がロック手段１１５から下部給水リング１１２との間の隙間を流れることを確保するためである。
【００５６】
本考案の第三実施例は、以下のとおりである。第二実施例との相違点は、ガイド部材２と分流部材３とを限定する第二構成にある。
図９乃至図１２を参照すると、分流部材３に第二環形状ボス３６が設置され、第二環形状ボス３６の下側に台形状凹溝３６１が設けられ、高さが異なる二つ段差面である第一段差面３６１１と第二段差面３６１２が形成されるようにし、第一段差面３６１１は第二環形状ボス３６の底部に位置し、第二段差面３６１２は台形状凹溝３６１の先端に位置する。台形状凹溝３６１における回転方向の先端の幅は台形状凹溝３６１における回転方向の底部の幅よりも小さい。分流部材３の外側には、対向する二つの突起３１がさらに設置され、突起３１が下部給水リング１１２の下端に挿入され、分流部材３の移動を制限して、分流部材３と下部給水リング１１２との位置関係を安定にするように確保し、さらに、ガイド部材２が常に給水部材１に対して回転できるように確保する。
【００５７】
図１２を参照すると、ガイド部材２の装着穴２１には、台形状凹溝３６１に嵌入され得る少なくとも二つの係合部材２４が設けられる。
【００５８】
本考案の具体的な実施プロセスは以下の通りである。
図９及び図１２を参照すると、係合部材２４が第二段差面３６１２に当接すると、邪魔台３２の底部が下部給水リング１１２の給水口に当接し、遷移流路４０が閉じられ、給水通路１０は第一吐水通路２０に連通する。そして、機能手段３５による実際の機能に従って、噴霧水又は柱状水などの他の形態を形成できる。本実施例では、機能手段３５により噴霧水を形成する。
【００５９】
図１０を参照すると、ハウジング４を回転させ、ガイド部材２が回転するように駆動し、係合部材２４が第二段差面２１１２に当接する。このとき、分流部３３の先端は上部給水リング１１１の下側に当接し、第一吐水通路２０が閉じられ、給水通路１０は遷移流路４０と第三吐水通路３０２に順に連通して、シャワー水を形成する。図１１を参照すると、ハウジング４を回転させ、ガイド部材２が回転するように駆動し、係合部材２４は常に第一段差面３６１１に当接する。このとき、分流部３３の先端は上部給水リング１１１の下側に当接し、第一吐水通路２０が閉じられ、給水通路１０は同時に遷移流路４０と第二吐水通路３０１に連通し、水流が遷移流路４０から第二吐水通路３０１へ入る過程で、吸気隙間５０から気体を吸入して、気泡水を形成する。
【００６０】
本考案の第四実施例は、同時に、雄ネジ式又は雌ネジ式の台所向けの蛇口、及び、浴室向けの蛇口等に適している。本実施例と第二実施例の相違点は、吐水手段１２及び分流部材３を限定する他の構成にある。
【００６１】
図１３を参照すると、吐水手段１２は、吐水体１２２及び雄ネジ接続手段１２３を含み、雄ネジ接続手段１２３は、一端が吐水体１２２に螺合接続され、他端が雌ネジ式の蛇口に接続される。
【００６２】
図１３を参照すると、分流部材３は、分流部３３及びリセット部３４を含み、リセット部３４はばねであり、分流部３３に第一環形状段差３３１が設けられ、リセット部３４の下端は第一環形状段差３３１に当接し、分流部３３の底部に三角柱形状の三角形凹溝３３３が設けられ、分流部３３の吐水口は上面から見ると楕円形であり、分流部３３から流出する水はブレード水として形成され、その衝突力はより強く、隙間を洗浄できる。
【００６３】
本実施例では、雄ネジ接続手段１２３が外されると、吐水体１２２が雄ネジ式の蛇口に直接接続されることになり、雄ネジ接続手段１２３が吐水体１２２に取り付けられると、吐水体１２２が雌ネジ型の蛇口に接続されることになり、汎用性が高くなる。
【００６４】
本実施例の具体的な実施形態は、以下の通りである。図１３を参照すると、突起３１が第一段差面２１１１に当接すると、邪魔台３２の底部が下部給水リング１１２の給水口に当接し、遷移流路４０が閉じられ、給水通路１０は第一吐水通路２０に連通し、水が分流部３３の吐水口から流れ出て、ブレード水を形成する。
【００６５】
図１４を参照すると、ハウジング４を回転させ、ガイド部材２が回転するように駆動し、突起３１が第二段差面２１１２に当接する。このとき、分流部３３の先端は上部給水リング１１１の下側に当接し、第一吐水通路２０が閉じられ、給水通路１０は同時に遷移流路４０と第三吐水通路３０２に連通して、シャワー水を形成する。
【００６６】
図１５を参照すると、ハウジング４を回転させ、ガイド部材２が回転するように駆動し、突起３１は常に第二段差面２１１２に当接する。このとき、分流部３３の先端は上部給水リング１１１の下側に当接し、第一吐水通路２０が閉じられ、給水通路１０は遷移流路４０と第二吐水通路３０１に順に連通し、水流が遷移流路４０から第二吐水通路３０１へ入る過程で、吸気隙間５０から気体を吸入して、気泡水を形成する。
【００６７】
本考案に係る第五実施例は、雌ネジ式の抽出シャワーヘッドに適している。
【００６８】
本実施例と第四実施例の相違点は、吐水体１２２を限定する他の構成にある。
図１６乃至図１８を参照すると、吐水手段１２と雌ネジ式の抽出シャワーヘッドを螺合接続するための雄ネジ１２４が吐水体１２２の外側壁に設置される。
【００６９】
本実施例の具体的な実施形態は、以下の通りである。
図１６を参照すると、突起３１が第一段差面２１１１に当接すると、邪魔台３２の底部が下部給水リング１１２の給水口に当接し、遷移流路４０が閉じられ、給水通路１０は第一吐水通路２０に連通して、水が分流部３３の吐水口から流れ出てブレード水を形成する。図１７を参照すると、ハウジング４を回転させ、ガイド部材２が回転するように駆動し、突起３１が第二段差面２１１２に当接する。このとき、分流部３３の先端は上部給水リング１１１の下側に当接し、第一吐水通路２０が閉じられ、給水通路１０は同時に遷移流路４０と第三吐水通路３０２に連通してシャワー水を形成する。
【００７０】
図１８を参照すると、ハウジング４を回転させ、ガイド部材２が回転するように駆動し、突起３１は常に第二段差面２１１２に当接する。このとき、分流部３３の先端は上部給水リング１１１の下側に当接し、第一吐水通路２０が閉じられ、給水通路１０は遷移流路４０と第二吐水通路３０１に順に連通し、水流が遷移流路４０から第二吐水通路３０１へ入る過程で、吸気隙間５０から気体を吸入して、気泡水を形成する。
【００７１】
本考案に係る第六実施例と第一実施例の相違点は、ガイド部材２を限定する第三構成にある。
【００７２】
図２０乃至図２３を参照すると、ガイド部材２と分流部材３が同時に給水部材１に対して作動可能である。ガイド部材２と分流部材３が給水部材１に対して作動している過程で、給水通路１０は第一吐水通路２０、第二吐水通路３０１又は第三吐水通路３０２に連通する。
【００７３】
図２３を参照すると、ガイド部材２内に、装着穴２１が設けられ、装着穴２１に段差２１１が設置され、分流部材３は、装着穴２１を貫通するように設置され、段差２１１に回転可能に当接する。好ましくは、装着穴２１に、二つの段差２１１が対称に設置される。具体的には、段差２１１は、第一段差面２１１１、第二段差面２１１２及び第三段差面２１１３で構成され、第一段差面２１１１、第二段差面２１１２及び第三段差面２１１３は、周設されるように、下から上に順に設置され、第一段差面２１１１と第二段差面２１１２との間、及び、第二段差面２１１２と第三段差面２１１３との間は、遷移傾斜面で接続される、
【００７４】
本実施例の具体的な実施形態は、以下の通りである。
図２０を参照すると、突起３１が第一段差面２１１１に当接すると、邪魔台３２の底部が下部給水リング１１２の給水口に当接し、遷移流路４０が閉じられ、給水通路１０は第一吐水通路２０に連通する。そして、機能手段３５による実際の機能に従って噴霧水又は他の形態の柱状水を形成でき、本実施例では、機能手段３５により噴霧水を形成する。
【００７５】
図２１を参照すると、ハウジング４を回転させ、ガイド部材２が回転するように駆動し、突起３１が第二段差面２１１２に当接する。このとき、邪魔台３２は上部給水リング１１１の分流部３３に面する側に当接して、第一吐水通路２０が閉じられ、給水通路１０は同時に第一吐水通路２０と遷移流路４０に連通すると、遷移流路４０が第三吐水通路３０２に連通してシャワー水を形成する。
【００７６】
図２２を参照すると、ハウジング４を回転させ、ガイド部材２が回転するように駆動し、突起３１が第三段差面２１１３に当接する。このとき、分流部３３の先端は、第一環形状ボス３７との間の距離ａは０ｍｍ〜０．１ｍｍであり、給水通路１０は順に遷移流路４０と第二吐水通路３０１に連通すると共に第一吐水通路２０に連通し、水流が遷移流路４０から第二吐水通路３０１へ入る過程で、吸気隙間５０から気体を吸入して、気泡水を形成する。
【００７７】
本考案に係る第七実施例と第一実施例の相違点は、ガイド部材２と分流部材３を限定する他の構成にある。
【００７８】
図２５乃至図２９を参照すると、ガイド部材２が給水部材１に対して作動している過程で、給水通路１０は第一吐水通路２０或いは第二吐水通路３０１、又は、同時に第一吐水通路２０と第三吐水通路３０２に連通する。
【００７９】
図１９及び図２５乃至図２９を参照すると、分流部材３は、分流部３３とリセット部３４を含み、リセット部３４はばねであり、リセット部３４の上端は二つの突起３１を貫通するように設置され、リセット部３４の下端は分流部３３の外側に周設されガイド部材２に当接し、分流部３３をリセットするように押圧し、対応する二つの段差２１１が、分流部３３の先端に設置され、段差２１１の断面は等脚台形であり、上部給水リング１１１における分流部３３に向ける一方側に、対向して段差２１１とマッチングする二つの段差溝１１１１が設けられ、段差溝１１１１における分流部３３の回転方向の一方の側壁は傾斜面であり、段差２１１が回転方向で段差溝１１１１に沿って回転するようにし、分流部３３が上下に移動するように駆動する。分流部３３の底部に三角柱状の凹溝が設けられ、分流部３３の吐水口が上面から見ると楕円形であり、分流部３３から流出する水はブレード水として形成され、その衝突力はより強く、隙間を洗浄できる。他の均等な実施例では、段差溝１１１１に、上から順に摺動可能に接続される二つの段差面を設置することにより、給水通路１０は第一吐水通路２０と第三吐水通路３０２とに同時に連通するようにしてもよい。
【００８０】
図２８を参照すると、ガイド部材２の装着穴２１の環形状側壁には、上記の突起３１とマッチングする二つの通過溝２１２が設けられ、突起３１が通過溝２１２を貫通するように設置され、ガイド部材２が回転すると突起３１により分流部３３が回転するように駆動し、吐水通路を切り替える。
【００８１】
本実施例の具体的な実施形態は、以下の通りである。
図２５を参照すると、段差２１１の先端は段差溝１１１１に位置し、上部給水リング１１１の下側に当接すると、邪魔台３２の底部が下部給水リング１１２の給水口に当接し、遷移流路４０が閉じられ、給水通路１０は第一吐水通路２０に連通し、水が分流部３３の吐水口から流れ出て、ブレード水を形成する。
【００８２】
図２６を参照すると、ハウジング４を回転させ、ガイド部材２と分流部３３が回転するように駆動し、突起３１が段差溝１１１１に嵌入される。このとき、分流部３３の先端は上部給水リング１１１の下側に当接し、第一吐水通路２０が閉じられ、給水通路１０は同時に遷移流路４０と第三吐水通路３０２に順に連通して、シャワー水を形成する。
【００８３】
図２７を参照すると、ハウジング４を回転させ、ガイド部材２と分流部３３が回転するように駆動し、突起３１は常に段差溝１１１１に位置する。このとき、分流部３３の先端は上部給水リング１１１の下側に当接し、第一吐水通路２０が閉じられ、給水通路１０は遷移流路４０と第二吐水通路３０１に連通し、水流が遷移流路４０から第二吐水通路３０１へ入る過程で、吸気隙間５０から気体を吸入して、気泡水を形成する。
【００８４】
以上より、本考案が提供する吐水装置は、分流部、邪魔台及び突起を設置することにより、段差と一緒に、３種類のギアの変更を実現でき、異なる吐水通路間に切り替えを実現でき、３種類の異なる機能を有する水を得ることができる。本考案は、その連結プロセスが簡単であり、回転により、３種類の異なる状態の水の変換を実現でき、その操作が簡便であり、バスルーム製品による吐水形態を追加し、利用者によって異なるニーズを満たし、分流部を設置することにより占有スペースを増やすことなく、噴霧水又はブレード水のような機能水の吐水を追加する。つまり、表面に頑固な汚れが付着している物体を洗浄するのに適している。
【００８５】
上記の説明は、本考案の実施例に過ぎず、本考案の保護範囲を限定するものではなく、本考案の明細書及びその図面に基づいてなされた如何なる均等な置換、又は、関連する技術分野に直接・間接に適用されたものも、同様に、実用新案登録請求の範囲に含まれる。
【符号の説明】
【００８６】
１          給水部材
１１        給水手段
１２        吐水手段
１１１      上部給水リング
１１２      下部給水リング
１１３      第二座金
１１４      第三座金
１１５      ロック手段
１１６      第四座金
１２１      雌ネジ
１２２      吐水体
１２３      雄ネジ接続手段
１２４      雄ネジ
１１１１    段差溝
１２２１    受容室
１２２２    吐水穴
２          ガイド部材
２１        装着穴
２２        第一給水室
２３        第二給水室
２４        係合部材
２０１      オスパーツ
２１２      通過溝
２０１１    位置制限溝
２１１      段差
２１１１    第一段差面
２１１２    第二段差面
２１１３    第三段差面
３          分流部材
３１        突起
３２        邪魔台
３３        分流部
３４        リセット部
３５        機能手段
３６        第二環形状ボス
３７        第一環形状ボス
３３１      第一環形状段差
３３２      第二環形状段差
３３３      三角形凹溝
３６１      台形状凹溝
３６１１    第一段差面
３６１２    第二段差面
４          ハウジング
４１        上部位置制限台
４２        下部位置制限台
４０１      メスパーツ
５          濾過手段
５１        下部ろ過網
５２        第一吐水リング
５３        第二吐水リング
６          加圧手段
６１        第一座金
６２        上部ろ過網
７          金属製ガスケット
１０        給水通路
２０        第一吐水通路
３０１      第二吐水通路
３０２      第三吐水通路
４０        遷移流路
５０        吸気隙間
【図１】
0003231624.tif 000003
【図２】
0003231624.tif 000004
【図３】
0003231624.tif 000005
【図４】
0003231624.tif 000006
【図５】
0003231624.tif 000007
【図６】
0003231624.tif 000008
【図７】
0003231624.tif 000009
【図８】
0003231624.tif 000010
【図９】
0003231624.tif 000011
【図１０】
0003231624.tif 000012
【図１１】
0003231624.tif 000013
【図１２】
0003231624.tif 000014
【図１３】
0003231624.tif 000015
【図１４】
0003231624.tif 000016
【図１５】
0003231624.tif 000017
【図１６】
0003231624.tif 000018
【図１７】
0003231624.tif 000019
【図１８】
0003231624.tif 000020
【図１９】
0003231624.tif 000021
【図２０】
0003231624.tif 000022
【図２１】
0003231624.tif 000023
【図２２】
0003231624.tif 000024
【図２３】
0003231624.tif 000025
【図２４】
0003231624.tif 000026
【図２５】
0003231624.tif 000027
【図２６】
0003231624.tif 000028
【図２７】
0003231624.tif 000029
【図２８】
0003231624.tif 000030
【図２９】
0003231624.tif 000031